(57)【要約】【課題】希望するカタログの選別が容易であるとともに、不要な多くのカタログを送付する無駄を生じることなく、また、カタログの商品イメージがつかみ易い見本用小型カタログ冊子の組を提供する。【課題の解決手段】見本用小型カタログ冊子の組１は、通信販売等で顧客に送付するカタログの内容を抜粋して表示した見本用小型カタログ冊子２ａ〜２ｈを、水平方向に２段、４列に、一体的に並設するとともに、切り用ミシン目３によって、一冊毎に分離可能に設けてなり、これら見本用小型カタログ冊子２ａ〜２ｈは、表紙４ａ〜４ｈと２枚の情報表示用紙と、裏表紙の４枚の紙片からなり、一端側を線糊９で綴じ合わせて冊子状にしている。【選択図】図１
2008105217.tif 000002
【特許請求の範囲】
【請求項１】
カタログの内容を抜粋して表示した見本用の小型カタログ冊子を複数、水平方向に縦横に、かつ一体的に並設するとともに、一冊毎に分離可能に設けてなることを特徴とする見本用小型カタログ冊子の組。
【請求項２】
請求項１記載の見本用小型カタログ冊子の組に綴じ代を設け、この綴じ代において冊子の見開きページに綴じ合わせてなることを特徴とする冊子。
【発明の詳細な説明】
【技術分野】
【０００１】
本発明は、通信販売等で使用されるカタログの内容を抜粋した見本用の小型カタログ冊子を分離可能に並設してなる見本用小型カタログ冊子の組み及びこの組を綴じ合わせてなる冊子に関する。
【背景技術】
【０００２】
従来、通信販売では、顧客の多様なニーズに合わせてジャンル別に多数のカタログを発行して、単独で、あるいは複数まとめて顧客に送付したり、多数のカタログの内容を紹介した冊子を顧客に送って、顧客が指定したカタログを送付することが行われている。一方、利用者の興味を引くために、雑誌等の冊子に小型の冊子を綴じ込むことも行われている（特許文献１）。
【０００３】
【特許文献１】特開平２０００４−１２２６５５号公報
【発明の開示】
【発明が解決しようとする課題】
【０００４】
しかし、多数のカタログを顧客に送付する場合には、顧客にとっては、興味のないジャンルのカタログや、興味はあっても購買予定のないジャンルのカタログが多数送られてくることになり、その選別が煩雑であるとともに、不要な多くのカタログを廃棄することになり、無駄を生じることになる。また、カタログ内容を紹介する冊子の場合は、対象となるカタログの商品イメージがつかみ難いという不都合がある。本発明は、このような不都合を解消した見本用小型カタログ冊子の組及び冊子を提供することを目的とする。
【課題を解決するための手段】
【０００５】
この目的を達成するために、本発明の請求項１に係る見本用小型カタログ冊子の組は、通信販売等で顧客に送付するカタログの内容を抜粋して表示した見本用の小型カタログ冊子を複数、水平方向に縦横に、かつ一体的に並設するとともに、一冊毎に分離可能に設けてなるものである。
【０００６】
同じく、上記目的を達成するために、本発明の請求項２に係る冊子は、上記請求項１記載の見本用小型カタログ冊子の組に綴じ代を設け、この綴じ代において冊子の見開きページに綴じ合わせてなるものである。
【発明の効果】
【０００７】
本発明の請求項１に係る見本用小型カタログ冊子の組によれば、分離した見本用カタログ冊子に表示された商品を参考にして、自分の希望する商品に関するカタログを選択することができるので、商品イメージがつかみ易く、カタログの選択が容易になるとともに、多数の不要なカタログ冊子が送られてくることがないので、不要な多くのカタログを廃棄することがなく、無駄が生じないという効果を奏する。
【０００８】
また、本発明の請求項２に係る冊子によれば、上記見本用小型カタログ冊子の組が奏する効果を奏することができるほか、綴じ合わせた冊子に、見本用小型カタログ冊子に関連する情報を掲載したり、カタログ申し込み用紙を設けることができるので、利便性がより向上するという効果を奏する。
【発明を実施するための最良の形態】
【０００９】
以下、本発明の好適な実施形態を添付図面に基づき説明する。ここにおいて、図１は見本用小型カタログ冊子の組の一実施形態を示す概略的な平面図、図２は図１のＡ−Ａ線断面図、図３は分離した一冊の見本用小型カタログ冊子を示す斜視図、図４は冊子に見本用小型カタログ冊子の組を綴じ合わせた実施形態を示す平面図である。
【００１０】
図１及び図２に示すように、見本用小型カタログ冊子の組１は、８冊の見本用小型カタログ冊子２ａ〜２ｈを、水平方向に２段、４列に、一体的に並設するとともに、切り用ミシン目３によって、一冊毎に区画形成している。前記各見本用小型カタログ冊子２ａ〜２ｈは、通信販売等で顧客に送付するカタログの内容を抜粋して表示（図示せず）したものであって、表紙４ａ〜４ｈには掲載商品のジャンル等を示すタイトル５ａ〜５ｈを表示している。
【００１１】
図２に示すように、各見本用小型カタログ冊子２ａ〜２ｈは、表紙４ａ〜４ｈと２枚の情報表示用紙６ａ〜６ｈ，７ａ〜７ｈと、裏表紙８ａ〜８ｈの４枚の紙片からなり、一端側を線糊９で綴じ合わせて、冊子状に構成している。そして、４枚の紙片を貫通する切り用ミシン目３を破断することによって、一冊ずつ分離可能としているものである。なお、図示していないが、各見本用小型カタログ冊子２ａ〜２ｈの裏表紙８ａ〜８ｈの表出面には、申し込み用のＵＲＬが表示され、このＵＲＬはパソコンで申し込むための通常の形態と、携帯電話で申し込むためのＱＲコードによる形態で表示されている。
【００１２】
本実施形態は以上のように構成したので、通信販売会社から見本用小型カタログ冊子の組１の送付を受けた顧客は、切り用ミシン目３を破断して各見本用小型カタログ冊子２ａ〜２ｈを分離し、図３に示すように、通常のカタログ冊子と同様にして、見本用小型カタログ冊子２ａ〜２ｈに掲載された商品を見ることができる。各見本用小型カタログ冊子２ａ〜２ｈの商品を確認して、自分の希望するカタログを決定した顧客は、裏表紙８ａ〜８ｈに表示されたＵＲＬにカタログの請求申し込みを行うことができる。
【００１３】
続いて、本発明の他の実施形態を図４に基づいて説明する。本実施形態に係る見本用小型カタログ冊子の組１１は、冊子２０の見開きページの紙片２１，２２に綴じ合わされている。前記見本用小型カタログ冊子の組１１は、１２冊の見本用小型カタログ冊子１２ａ〜１２ｌを、綴じ代１６を挟んで左右に６冊ずつ、すなわち、水平方向に３段、２列ずつ、一体的に並設するとともに、切り用ミシン目１３によって、一冊毎に区画形成している。そして、前記各見本用小型カタログ冊子１２ａ〜１２ｌは、上述した見本用小型カタログ冊子２ａ〜２ｈと同様に、通信販売等で顧客に送付するカタログの内容を抜粋して表示（図示せず）したものであって、表紙１４ａ〜１４ｌには掲載商品のジャンル等を示すタイトル１５ａ〜１５ｌを表示している。
【００１４】
図示してはいないが、各見本用小型カタログ冊子１２ａ〜１２ｌは、上述した見本用小型カタログ冊子２ａ〜２ｈと同様に、表紙１４ａ〜１４ｌと、２枚の情報表示用紙と、裏表紙の４枚の紙片からなり、一端側を線糊で綴じ合わせて、冊子状に構成している。そして、上述の綴じ代１６において、冊子２０の各紙片とともに、ステープラーで綴じ合わされ、切り用ミシン目１３を破断することによって、一冊ずつ分離可能としている。なお、図示していないが、本実施形態における申し込み用のＵＲＬは、冊子２０の適所、例えば裏表紙の表出面に設けられている。そして、このＵＲＬはパソコンで申し込むための通常の形態と、携帯電話で申し込むためのＱＲコードによる形態で表示されている。
【００１５】
本実施形態においても、上述した実施形態と同様に、通信販売会社から見本用小型カタログ冊子の組１１が綴じ合わされた冊子２０の送付を受けた顧客は、切り用ミシン目１３を破断して各見本用小型カタログ冊子１２ａ〜１２ｌを分離し、通常のカタログ冊子と同様にして（図３参照）、見本用小型カタログ冊子１２ａ〜１２ｈに掲載された商品の内容を見ることができる。そして、各見本用小型カタログ冊子１２ａ〜１２ｌの商品を確認して、自分の希望するカタログを決定した顧客は、裏表紙に表示されたＵＲＬにカタログの請求申し込みを行うことができる。
【００１６】
なお、本発明は、上述した各実施形態に限定されるものではなく、例えば、見本用小型カタログ冊子の組１，１１を構成する見本用小型カタログ冊子２ａ〜２ｈ，１２ａ〜１２ｌの数は８冊あるいは１２冊に限定されず、複数であればよく、顧客に提供するカタログ冊子の数に応じて決定される。また、見本用小型カタログ冊子２ａ〜２ｈ，１２ａ〜１２ｌを並設する際の段と列の数も適宜変更可能である。さらに、各見本用小型カタログ冊子２ａ〜２ｈ，１２ａ〜１２ｌを構成する紙片の枚数も４枚に限定されないことはもちろんである。
【図面の簡単な説明】
【００１７】
【図１】見本用小型カタログ冊子の組の実施形態を示す概略的な平面図。
【図２】図１のＡ−Ａ線断面図。
【図３】見本用小型カタログ冊子の斜視図。
【図４】見本用小型カタログ冊子の組を綴じ合わせた冊子の実施形態を示す概略的な平面図。
【符号の説明】
【００１８】
１，１１      見本用小型カタログ冊子の組
２ａ〜２ｈ，１２ａ〜１２ｌ      見本用小型カタログ冊子
３，１３      切り用ミシン目
４ａ〜４ｈ，１４ａ〜１４ｌ      表紙
５ａ〜５ｈ，１５ａ〜１５ｌ      タイトル
６ａ〜６ｈ，７ａ〜７ｈ      情報表示用紙
８ａ〜８ｈ      裏表紙
９      線糊
１６      綴じ代
２０      冊子
【図１】
2008105217.tif 000003
【図２】
2008105217.tif 000004
【図３】
2008105217.tif 000005
【図４】
2008105217.tif 000006